(57)【要約】      （修正有）【課題】話をする時つばが飛び散ることを防止するとともに、口および鼻を完全に塞がず、外観のよい、実用的なマスクを提供する。【解決手段】座台１０と、耳かけ２０と、係止板３０と、つば防止片４０とを備える。座台は、人の顔の左右方向の曲線に対応してカーブ状の細長い板状に形成され、左右両末端に耳かけが設けられている。係止板は、柱１２の第一掛かり部１２２と掛り合う第二掛かり部３０１を有する。つば防止片は、透明であり、左右末端に第四引っ掛け部４０２（孔状）が形成され、座台の左右両端に形成された突出状引っ掛部１２３に引っ掛けられて立設される。係止板が二つの柱１２の前に設けられ、あごの表面に接触するので、つば防止片が口および鼻から所定間隔離れる。【選択図】図２
0003185398.tif 000002
【実用新案登録請求の範囲】
【請求項１】
人の顔の左右方向の曲線に対応して細長くカーブ状に形成されている座台と、
前記座台の左右末端に設けられている耳かけと、
前記座台の中央部から下方向に伸びており、人のあごの下縁と接触可能であるあご支持部と、
互いに所定間隔離れるよう前記座台の中央部の内側に形成されており、第一引っ掛け部および第一掛かり部が形成されている二つの柱と、
前記柱の前記第一掛かり部と掛り合う第二掛かり部が形成されている係止板と、
前記柱の前記第一引っ掛け部とひっかかる第二引っ掛け部が形成されているつば防止片と、を備え、
二つの前記柱と前記つば防止片とが前記第一引っ掛け部と前記第二引っ掛け部の引っ掛け合いにより連結されたあと前記座台に連結されていることを特徴とするマスク。
【請求項２】
前記座台は、左右末端と中央部との間に、第三引っ掛け部が形成されており、
前記つば防止片は、左右末端の下部に第四引っ掛け部が形成されていることを特徴とする請求項１記載のマスク。
【請求項３】
前記柱の前記第一引っ掛け部は、第一案内面を有し、
前記係止板の前記第二引っ掛け部は、第二案内面を有し、
前記第二案内面と前記第一案内面とは互いに対応していることを特徴とする請求項１記載のマスク。
【請求項４】
前記柱の前記第一引っ掛け部は係止部を有し、
前記つば防止片の前記第二引っ掛け部は鉤を有することを特徴とする請求項１記載のマスク。
【請求項５】
前記座台は左右末端に連結部が設けられており、
前記連結部は前記耳かけに連結されていることを特徴とする請求項１記載のマスク。
【請求項６】
前記耳かけは弾性を有する線であることを特徴とする請求項１記載のマスク。
【請求項７】
前記耳かけは曲げやすい材料により形成されていることを特徴とする請求項１記載のマスク。
【請求項８】
前記座台の前記柱は、二個であり、前記座台の中央の両側に互いに対称するよう設けられており、
前記つば防止片は、前記柱と対応するに二つの欠け口を有することを特徴とする請求項１記載のマスク。
【請求項９】
前記座台は、内側に前記つば防止片の底端を支持する支持縁が設けられていることを特徴とする請求項１記載のマスク。
【請求項１０】
前記つば防止片は、前記座台に対して垂直に設けられていることを特徴とする請求項１記載のマスク。
【請求項１１】
前記耳かけは調節バンドであることを特徴とする請求項１記載のマスク。
【請求項１２】
前記係止板は柔軟性を有する材質により作られていることを特徴とする請求項１記載のマスク。
【請求項１３】
前記係止板は海綿または人工スポンジにより作られていることを特徴とする請求項１記載のマスク。
【請求項１４】
前記つば防止片は光線が透過可能な軟性プラスチツクにより作られていることを特徴とする請求項１記載のマスク。
【請求項１５】
前記つば防止片は、人の鼻と対応するよう前方に突出している突出部が形成されていることを特徴とする請求項１記載のマスク。
【考案の詳細な説明】
【技術分野】
【０００１】
本考案は、マスクに関する。
【背景技術】
【０００２】
マスクは、つばが口から外に飛びだすことを防止し、有害な物質または病菌が口または鼻から人体に吸入されるのを防止するものであり、病院、診療所、または飲食業の従業人が必要とする他、流感が盛る時期に不可欠なものである。
【０００３】
現在、市販のマスクは、本体が完全に使用者の口および鼻を被覆し、固定ひもにより使用者の耳または頭部に固定されているものである。口および鼻を完全に被覆するマスクは、マスク本体が使用者の口および鼻に密着し、使用者に不快感を与える他、使用者の呼吸に悪い影響を与える。また、使用者の話が聞き相手に聞き取れない恐れがある。よって、従業員には不適当である。
【考案の概要】
【考案が解決しようとする課題】
【０００４】
本案の目的は、話をする時つばが飛び散ばることを防止し、口および鼻を完全に塞がず、外観がよく、実用的なマスクを提供することにある。
【課題を解決するための手段】
【０００５】
本案によるマスクは、座台、耳かけ、支持部、柱、係止板、およびつば防止片を備える。座台は、人の顔の左右方向の曲線に対応して細長くカーブ状に形成されている。耳かけは、座台の左右末端に設けられている。あご支持部は、座台の中央部から下方向に伸びており、人のあごの下縁と接触可能である。二つの柱は、互いに所定間隔離れるよう座台の中央部の内側に形成されており、第一引っ掛け部および第一掛かり部が形成されている。係止板は、柱の第一掛かり部と掛り合う第二掛かり部が形成されている。つば防止片は、柱の第一引っ掛け部とひっかかる第二引っ掛け部が形成されている。二つの柱とつば防止片とが第一引っ掛け部と第二引っ掛け部の引っ掛け合いにより連結されたあと座台に連結されている。
【０００６】
これにより、つば防止部は、直接使用者の口と鼻を被覆せず、ある空間を隔てて位置し、使用者が話をする時につばが外に飛び出しても、つば防止部がそれを止め、つばが話し相手の方に飛び散らないようにすることができる。
【０００７】
本考案のマスクは、つば防止片が使用者の口と鼻を直接被覆せず、所定間隔を有するので、マスクを掛けている時の感覚がよく、話をする時は、相手がはっきり話を聞き取れる。また、つばが飛び出しても、つば防止片がつばを遮って、相手の方につばが飛んでいかないので衛生的である。つば防止片は透明であり、座台に取り付けたり、はずしたりすることができるので、必要があれば簡単に洗ったり取り替えたりすることができ、便利である。
【図面の簡単な説明】
【０００８】
【図１】本考案の一実施形態によるマスクを示す斜視図である。
【図２】本考案の一実施形態によるマスクを示す分解斜視図である。
【図３】本考案の一実施形態によるマスクを示す側面図である。
【図４】本考案の一実施形態によるマスクを示す側面図である。
【考案を実施するための形態】
【０００９】
本考案の実施形態によるマスクを図面に基づいて説明する。
（一実施形態）
図１は、本考案の一実施形態によるマスクを示し、マスク１００は、座台１０と、耳かけ２０と、係止板３０と、つば防止片４０とを備える。
【００１０】
座台１０は、人の顔の左右方向の曲線に対応してカーブ状の細長い板状に形成され、左右両末端に耳かけ２０が設けられている。使用者は、耳かけ２０を左右両方の耳に引っ掛けることでマスク１００を使用する。座台１０の左右末端には連結部１３が設けられている。連結部１３は耳かけ２０に連結されている。耳かけ２０は、マスク１００が使用者の口および鼻と離れ、前方に位置させる。耳かけ２０は、弾性のある線または調整可能な帯であってもよく、耳、後頭部、または耳の上方に掛けることができる。
【００１１】
あご支持部１１は、座台１０の中央部に設けられており、使用者のあごの下縁に接触し、マスク１００が動かないよう固定する。
【００１２】
つば防止片４０が直接口および鼻を被覆しないようにするため、図２に示すように、係止板３０が設けられている。座台１０の内側には、互いに所定間隔を有する二つの柱１２が突出している。係止板３０は、柱１２の第一掛かり部１２２と掛り合う第二掛かり部３０１を有する。の第一掛かり部１２２と第二掛かり部３０１との掛り合せにより係止板３０が二つの柱１２の前に設けられている。使用者がマスクを掛けると、係止板３０があごの表面に接触し、つば防止片４０が口および鼻から所定間隔離れる。
【００１３】
つば防止片４０は、透明であり、左右末端に第四引っ掛け部４０２（孔状）が形成されている。座台１０の左右両端にはそれぞれ第三引っ掛け部（突出状）が形成されている。第三引っ掛け部１２３が第四引っ掛け部４０２に引っ掛けることによって、つば防止片４０が座台１０に立設される。使用者がマスクを掛けた時、前後又は左右に移動しても、つば防止片４０が座台１０から離脱しない。本実施形態の第三引っ掛け部１２３は突起であり、第四引っ掛け部４０２は孔である。他の実施形態では、両者を連結可能な方法であれば、突起および孔の形態に限らない。
【００１４】
図３および図４に示すように、柱１２の第一引っ掛け部１２１は第一案内面１２１１を有し、つば防止片４０は第二引っ掛け部４０１に第二案内面４０１１を有する。第二案内面４０１１は、第一案内面１２１１と対応する。柱１２の第一引っ掛け部１２１は係止部１２１２を有し、つば防止片４０の第二引っ掛け部４０１は鉤４０１２を有する。鉤４０１２は係止部１２１２と対応する。第一案内面１２１１と第二案内面４０１１と作用により、が第二引っ掛け部４０１が順調に座台１０の第一引っ掛け部１２１の中に滑り込んで引っ掛り、つば防止片４０の鉤４０１２が柱１２の係止部１２１２に係止され、つば防止片４０が座台１０から離脱しない。よって、つば防止片４０は、更に安定的に座台１０に接続される。
【００１５】
座台１０の二つの柱１２は、座台１０の中央の左右側に互いに対称するよう設けられている。つば防止片４０は、柱１２に対応する二欠け口４０３（図２を見る）を有し、座台１０とつば防止片４０との間隔を縮小させる。
【００１６】
つば防止片４０が座台１０から離脱しないよう、座台１０の内側に、つば防止片４０の底端を支える支持縁１２５が設けられている。
【００１７】
係止板３０は、使用者のあごの表面と接触し、使用者の口および鼻とつば防止片４０とは所定間隔を有する。よって、係止板３０は、例えば、海綿または人工スポンジなどの柔軟性のある材質により作られている。よって、係止板３０が使用者のあごの表面に接触する時、使用者の感覚をよくすることができる。
【００１８】
最後に、つば防止片４０は、使用者の口と鼻の前を遮って、使用者が話をする時に、つばが相手の方に飛んでいくことを防止することができる。つば防止片４０は、鼻の高さに対応する突出部４０４を有する。つば防止片４０は透明材質により作られている。よって、使用者が呼吸し易くなり、相手は使用者の表情をはっきり見る事ができる。また、つば防止片４０を座台１０から取るはずすことができるので、マスク１００の包装または運送上の利便性を高め、コストを節約することができる。
【符号の説明】
【００１９】
１００・・・マスク、
１０・・・座台、
１１・・・あご支持部、
１２・・・柱、
１２１・・・第一引っ掛け部、
１２１１・・・第一案内面、
１２１２・・・係止部、
１２２・・・第一掛かり部、
１２３・・第三引っ掛け部、
１２５・・・支持縁、
１３・・・連結部、
２０・・・耳かけ、
３０・・・係止板、
３０１・・・第二掛かり部、
４０・・・つば防止片、
４０１・・・第二引っ掛け部、
４０２・・・第四引っ掛け部、
４０１１・・・第二案内面、
４０１２・・・鉤、
４０３・・・欠け口、
４０４・・・突出部。
【図１】
0003185398.tif 000003
【図２】
0003185398.tif 000004
【図３】
0003185398.tif 000005
【図４】
0003185398.tif 000006